(57)【特許請求の範囲】
【請求項１】
コンテンツ提供サーバに用いられる読取サービスの提供方法であって、
コンテンツ提供サーバが第１の端末からの命令に応じて、前記第１の端末に対応する第１の画像ギャラリーにおける第１の画像の第１のシリアル番号を示すタグを設定するステップであって、前記第１の画像ギャラリーにおける第１の画像は前記第１の端末の表示性能に適応する、前記ステップと、
前記コンテンツ提供サーバが第２の端末から、前記第２の端末の端末タイプが含まれるサービス要求を受信するステップと、
前記コンテンツ提供サーバが前記第２の端末へ前記タグを送信するステップと、
前記コンテンツ提供サーバが前記第２の端末から前記タグを選択するとの命令を受信するステップと、
前記コンテンツ提供サーバが前記第２の端末の端末タイプに対応する第２の画像ギャラリーを検索し、前記第２の画像ギャラリーにおける第２の画像が前記第２の端末の表示性能に適応するステップと、
前記コンテンツ提供サーバが前記タグに示される前記第１のシリアル番号に対応する第２の画像ギャラリーにおける第２の画像の第２のシリアル番号を検索するステップと、
前記コンテンツ提供サーバが前記第２のシリアル番号から、前記第２の端末へ前記第２の画像ギャラリーにおける第２の画像を送信するステップとを含み、前記第１の画像および前記第２の画像は、前記コンテンツ提供サーバが同一のオリジナル画像を各端末の表示性能に適応するように処理して生成されることを特徴とする読取サービスの提供方法。
【請求項２】
コンテンツ提供サーバが第１の端末からの命令に応じてタグを設定する前に、前記方法は、さらに、
前記コンテンツ提供サーバが第１の端末から、前記第１の端末の端末タイプが含まれるサービス要求を受信するステップと、
前記コンテンツ提供サーバが前記第１の端末の端末タイプに対応する第１の画像ギャラリーを検索し、前記第１の画像ギャラリーにおける第１の画像が前記第１の端末の表示性能に適応するステップと、
前記コンテンツ提供サーバが前記第１の端末へ前記第１の画像を送信するステップと、を含むことを特徴とする
請求項１に記載の方法。
【請求項３】
前記第１のシリアル番号と前記第２のシリアル番号が一対多である場合、前記コンテンツ提供サーバが前記タグに示される前記第１のシリアル番号に対応する第２の画像ギャラリーにおける第２の画像の第２のシリアル番号を検索することは、
前記コンテンツ提供サーバが前記タグに示される前記第１のシリアル番号に対応する第２の画像ギャラリーにおける第２の画像の第２のシリアル番号の最小値を検索することであり、
相応的に、前記コンテンツ提供サーバが前記第２のシリアル番号から、前記第２の端末へ前記第２の画像ギャラリーにおける第２の画像を送信することは、
前記コンテンツ提供サーバが前記第２のシリアル番号の最小値から、前記第２の端末へ前記第２の画像ギャラリーにおける第２の画像を送信することであることを特徴とする
請求項１に記載の方法。
【請求項４】
前記コンテンツ提供サーバが前記タグに示される前記第１のシリアル番号に対応する第２の画像ギャラリーにおける第２の画像の第２のシリアル番号を検索することは、
前記コンテンツ提供サーバが前記タグに示される前記第１のシリアル番号に対応するオリジナル画像ギャラリーにおけるオリジナル画像の第３のシリアル番号を検索し、
前記コンテンツ提供サーバが前記オリジナル画像の第３のシリアル番号に対応する第２の画像ギャラリーにおける第２の画像の第２のシリアル番号を検索することを含むことを特徴とする
請求項１に記載の方法。
【請求項５】
前記コンテンツ提供サーバが第１の端末からサービス要求を受信する前に、前記方法は、さらに、
前記コンテンツ提供サーバが、オリジナル画像が含まれるオリジナル画像ギャラリーを取得するステップと、
前記コンテンツ提供サーバが前記オリジナル画像の画素の大きさ、前記第１の端末の表示性能によって、前記オリジナル画像を処理して第１の画像を生成するステップと、
前記コンテンツ提供サーバが前記第１の画像の第１のシリアル番号と前記オリジナル画像の第３のシリアル番号との対応関係を生成するステップと、
前記コンテンツ提供サーバが前記オリジナル画像の画素の大きさ、前記第２の端末の表示性能によって、前記オリジナル画像を処理して第２の画像を生成するステップと、
前記コンテンツ提供サーバが前記第２の画像の第２のシリアル番号と前記オリジナル画像の第３のシリアル番号との対応関係を生成するステップとを含むことを特徴とする
請求項２に記載の方法。
【請求項６】
前記コンテンツ提供サーバが前記オリジナル画像の画素の大きさ、前記第２の端末の表示性能によって、前記オリジナル画像を処理して第２の画像を生成した後、前記方法は、さらに、
前記コンテンツ提供サーバが前記第１の画像の第１のシリアル番号と前記第２の画像の第２のシリアル番号との対応関係を生成するステップを含むことを特徴とする
請求項５に記載の方法。
【請求項７】
前記オリジナル画像を処理して第１の画像を生成する前記ステップは、
前記コンテンツ提供サーバが前記オリジナル画像をカットし、第１の画像を生成すること、または、
前記コンテンツ提供サーバが前記オリジナル画像を接合させて、第１の画像を生成すること、または、
前記コンテンツ提供サーバが前記オリジナル画像に対して画素変換を行って、第１の画像を生成することを含むことを特徴とする
請求項５または６に記載の方法。
【請求項８】
前記第２の端末の表示性能は、第２の端末の表示スクリーンの物理的サイズ、第２の端末の表示スクリーンの画素の大きさ、前記第２の端末のＣＰＵの処理速度、及び／または前記第２の端末のアクセスネットワークの帯域幅を含むことを特徴とする
請求項１に記載の方法。
【請求項９】
第１の端末からの命令に応じて、前記第１の端末に対応する第１の画像ギャラリーにおける第１の画像の第１のシリアル番号を示すタグを設定するように設置されるタグ設定ユニットであって、前記第１の画像ギャラリーにおける第１の画像は前記第１の端末の表示性能に適応する、前記タグ設定ユニットと、
第２の端末から、前記第２の端末の端末タイプが含まれるサービス要求を受信するように設置される受信ユニットと、
前記第２の端末へ前記タグを送信するように設置される第１の送信ユニットと、
前記第２の端末から前記タグを選択するとの命令を受信するように設置される受信ユニットと、
前記第２の端末の端末タイプに対応する第２の画像ギャラリーを検索し、前記第２の画像ギャラリーにおける第２の画像が前記第２の端末の表示性能に適応するように設置される第１の検索ユニットと、
前記タグに示される前記第１のシリアル番号に対応する第２の画像ギャラリーにおける第２の画像の第２のシリアル番号を検索するように設置される第２の検索ユニットと、
前記第２のシリアル番号から、前記第２の端末へ前記第２の画像ギャラリーにおける第２の画像を送信するように設置される第２の送信ユニットとを備える、コンテンツ提供サーバであって、
前記第１の画像および前記第２の画像は、前記コンテンツ提供サーバが同一のオリジナル画像を各端末の表示性能に適応するように処理して生成されることを特徴とするコンテンツ提供サーバ。
【請求項１０】
前記コンテンツ提供サーバは、さらに、
オリジナル画像が含まれるオリジナル画像ギャラリーを取得するように設置される取得ユニットと、
前記オリジナル画像の画素の大きさ、前記第１の端末の表示性能によって、前記オリジナル画像を処理して第１の画像を生成し、且つ前記オリジナル画像の画素の大きさ、前記第２の端末の表示性能によって、前記オリジナル画像を処理して第２の画像を生成するように設置される画像処理ユニットと、及び
前記第１の画像の第１のシリアル番号と前記オリジナル画像の第３のシリアル番号との対応関係を生成し、且つ前記第２の画像の第２のシリアル番号と前記オリジナル画像の第３のシリアル番号との対応関係を生成するように設置される対応関係生成ユニットと、を備えることを特徴とする
請求項９に記載のコンテンツ提供サーバ。
【請求項１１】
前記画像処理ユニットは、さらに、
前記オリジナル画像をカットし、第１の画像を生成するカットサブユニット、または、
前記オリジナル画像を接合させて、第１の画像を生成する接合サブユニット、または、
前記オリジナル画像に対して画素変換を行って、第１の画像を生成する変換サブユニットを備えることを特徴とする
請求項１０に記載のコンテンツ提供サーバ。
【請求項１２】
第１の端末、第２の端末及びコンテンツ提供サーバを含むコンテンツ提供システムであって、
前記第１の端末は、前記コンテンツ提供サーバへタグを設定するという命令を送信するように設置され、
前記コンテンツ提供サーバは、第１の端末からの命令に応じて、前記第１の端末に対応する第１の画像ギャラリーにおける第１の画像の第１のシリアル番号を示すタグを設定し、ここで、前記第１の画像ギャラリーにおける第１の画像は前記第１の端末の表示性能に適応し、そして第２の端末から、前記第２の端末の端末タイプが含まれるサービス要求を受信し、前記第２の端末へ前記タグを送信し、そして前記第２の端末から前記タグを選択するとの命令を受信し、前記第２の端末の端末タイプに対応する第２の画像ギャラリーを検索し、前記第２の画像ギャラリーにおける第２の画像が前記第２の端末の表示性能に適応し、前記タグに示される前記第１のシリアル番号に対応する第２の画像ギャラリーにおける第２のｖの第２のシリアル番号を検索し、前記第２のシリアル番号から、前記第２の端末へ前記第２の画像ギャラリーにおける第２の画像を送信するように設置され、
前記第２の端末は、前記第２のシリアル番号から、前記コンテンツ提供サーバから前記第２の画像ギャラリーにおける第２の画像を受信するように設置され、前記第１の画像および前記第２の画像は、前記コンテンツ提供サーバが同一のオリジナル画像を各端末の表示性能に適応するように処理して生成されることを特徴とする、前記コンテンツ提供システム。
【発明の詳細な説明】
【技術分野】
【０００１】
本発明は、ネットワーク分野に関し、特に読取サービスの提供方法、コンテンツ提供サーバ及びシステムに関する。
【背景技術】
【０００２】
２０１０年初に中国国務院常務会議で決められた「通信ネットワーク、放送ネットワーク及びインターネットの３種ネットワーク融合の加速推進」というマイルストーン型決議を行ったことにより、長い間検討されてきた３種ネットワーク融合は、全速で実施段階に入る。３種ネットワーク融合のサービスコアはユーザであり、ユーザは、テレビ、コンピュータ及び携帯電話との３つのスクリーンを介して情報とサービスを取得する。３つのスクリーン融合とは、既存のプラットフォームとリソースを十分に活用して、ユーザをコアとし、３つのスクリーンの間に良いビデオ情報の配信、補完的サービスを形成することであり、それによってユーザはより便利で情報を取得してより良い体験を楽しむことが可能となる。３つのスクリーンの統合技術体系構造のコア価値は、バックグラウンドリソースの統合、前端と後端との相補的な利点により、ユーザのために新しい体験を作成することにある。
【０００３】
漫画、アニメ、動画、ゲームおよびマルチメディアコンテンツ製品などを代表とするアニメーション産業のグローバル経済での地位は、急速に高まり、徐々にソフトウェア産業に継ぐ支柱産業となっている。３つのスクリーンが統合された背景において、将来的に、ユーザは、ハードウェア及び自分の需要に応じて異なる時間にいくつかの異なるスクリーンを選択し、経時的にマルチメディアコンテンツを体験することができるようになるであろう。
ユーザがフォトギャラリーを読み取る場合、漫画を例とすると、漫画は、ひとコマ漫画と４コマまたはマルチコマ漫画に分けることができる。ユーザは、異なるスクリーン（携帯電話スクリーン、コンピュータスクリーン、テレビスクリーン）を介して漫画を読み取ることができる。例えば、ユーザは、通勤途中に彼らのスマートフォンを用いて漫画本を読み取ることができ、家に帰って、ブックマークによって別のデバイス（ＴＶ、コンピュータ）を用いて続いて前回の内容に継いで読み取ることができる。しかし、異なるデバイスの画像に対する要求は異なるため、同じ漫画電子ブックでも異なる端末では表示効果は異なり、同じ漫画電子ブックが、スマートフォンには正確に表示されることができるが、コンピュータに明確に表示されることができなくなることもある。そのため、ユーザは、異なる端末で漫画電子ブックを連続的に読み取ることができない。
【発明の概要】
【発明が解決しようとする課題】
【０００４】
本発明が解決しようとする技術的課題は、ユーザが異なる端末で同じコンテンツのフォトギャラリーを連続的に読み取ることが可能となるような、読取サービスの提供方法、コンテンツ提供サーバ及びシステムを提供することである。
【課題を解決するための手段】
【０００５】
前記技術的課題を解決するために、本発明の実施形態は、以下のような技術的スキームを提供する。
一方では、コンテンツ提供サーバに応用される読取サービスの提供方法を提供し、この方法は、
コンテンツ提供サーバが第１の端末からの命令に応じて、前記第１の端末に対応する第１のフォトギャラリーにおける第１のフォトの第１のシリアル番号を示すタグを設定するステップと、
前記コンテンツ提供サーバが第２の端末から、前記第２の端末の端末タイプが含まれるサービス要求を受信するステップと、
前記コンテンツ提供サーバが前記第２の端末へ前記タグを送信するステップと、
【０００６】
前記コンテンツ提供サーバが前記第２の端末から前記タグを選択するとの命令を受信するステップと、
前記コンテンツ提供サーバが前記第２の端末の端末タイプに対応する第２のフォトギャラリーを検索し、前記第２のフォトギャラリーにおける第２のフォトが前記第２の端末の表示性能に適応するようにするステップと、
前記コンテンツ提供サーバが前記タグに示される前記第１のシリアル番号に対応する第２のフォトギャラリーにおける第２のフォトの第２のシリアル番号を検索するステップと、
前記コンテンツ提供サーバが前記第２のシリアル番号から、前記第２の端末へ前記第２のフォトギャラリーの第２のフォトを送信するステップと、を含む。
【０００７】
コンテンツ提供サーバが第１の端末からの命令に応じてタグを設定する前に、前記方法は、さらに、
前記コンテンツ提供サーバが第１の端末から、前記第１の端末の端末タイプが含まれるサービス要求を受信するステップと、
前記コンテンツ提供サーバが前記第１の端末の端末タイプに対応する第１のフォトギャラリーを検索し、前記第１のフォトギャラリーにおける第１のフォトが前記第１の端末の表示性能に適応するようにするステップと、
前記コンテンツ提供サーバが前記第１の端末へ前記第１のフォトを送信するステップと、を含む。
【０００８】
前記第１のシリアル番号と前記第２のシリアル番号が一対多である場合、前記コンテンツ提供サーバが前記タグに示される前記第１のシリアル番号に対応する第２のフォトギャラリーにおける第２のフォトの第２のシリアル番号を検索することは、前記コンテンツ提供サーバが前記タグに示される前記第１のシリアル番号に対応する第２のフォトギャラリーにおける第２のフォトの第２のシリアル番号の最小値を検索することである。
【０００９】
相応することとして、前記コンテンツ提供サーバが前記第２のシリアル番号から、前記第２の端末へ前記第２のフォトギャラリーにおける第２のフォトを送信することは、前記コンテンツ提供サーバが前記第２のシリアル番号の最小値から、前記第２の端末へ前記第２のフォトギャラリーにおける第２のフォトを送信することである。
【００１０】
前記コンテンツ提供サーバが前記タグに示される前記第１のシリアル番号に対応する第２のフォトギャラリーにおける第２のフォトの第２のシリアル番号を検索することは、
前記コンテンツ提供サーバが前記タグに示される前記第１のシリアル番号に対応するオリジナルフォトギャラリーにおけるオリジナルフォトの第３のシリアル番号を検索し、
前記コンテンツ提供サーバが前記オリジナルフォトの第３のシリアル番号に対応する第２のフォトギャラリーにおける第２のフォトの第２のシリアル番号を検索することを含む。
【００１１】
前記コンテンツ提供サーバが第１の端末からサービス要求を受信する前に、前記方法は、さらに、
前記コンテンツサーバが、オリジナルフォトが含まれるオリジナルフォトギャラリーを取得するステップと、
前記コンテンツサーバが前記オリジナルフォトの画素の大きさ、前記第１の端末の表示性能によって、前記オリジナルフォトを処理して第１のフォトを生成するステップと、
前記コンテンツサーバが前記第１のフォトの第１のシリアル番号と前記オリジナルフォトの第３のシリアル番号との対応関係を生成するステップと、
前記コンテンツサーバが前記オリジナルフォトの画素の大きさ、前記第２の端末の表示性能によって、前記オリジナルフォトを処理して第２のフォトを生成するステップと、
前記コンテンツサーバが前記第２のフォトの第２のシリアル番号と前記オリジナルフォトの第３のシリアル番号との対応関係を生成するステップとを含む。
【００１２】
前記コンテンツサーバが前記オリジナルフォトの画素の大きさ、前記第２の端末の表示性能によって、前記オリジナルフォトを処理して第２のフォトを生成した後、前記方法は、さらに、
前記コンテンツサーバが前記第１のフォトの第１のシリアル番号と前記第２のフォトの第２のシリアル番号との対応関係を生成するステップを含む。
【００１３】
前記オリジナルフォトを処理して第１のフォトを生成する前記ステップは、
前記コンテンツサーバが前記オリジナルフォトをカットし、第１のフォトを生成すること、または、
前記コンテンツサーバが前記オリジナルフォトを接合させて、第１のフォトを生成すること、または、
前記コンテンツサーバが前記オリジナルフォトに対して画素変換を行って、第１のフォトを生成することを含む。
【００１４】
前記第２の端末の表示性能は、第２の端末の表示スクリーンの物理的サイズ、第２の端末の表示スクリーンの画素の大きさ、前記第２の端末のＣＰＵの処理速度、及び／または前記第２の端末のアクセスネットワークの帯域幅を含む。
【００１５】
他方、コンテンツ提供サーバが提供され、
第１の端末からの命令に応じて、前記第１の端末に対応する第１のフォトギャラリーにおける第１のフォトの第１のシリアル番号を示すタグを設定するように設置されるタグ設定ユニットと、
第２の端末から、前記第２の端末の端末タイプが含まれるサービス要求を受信するように設置される受信ユニットと、
前記第２の端末へ前記タグを送信するように設置される第１の送信ユニットと、
前記第２の端末から前記タグを選択するとの命令を受信するように設置される受信ユニットと、
前記第２の端末の端末タイプに対応する第２のフォトギャラリーを検索し、前記第２のフォトギャラリーにおける第２のフォトが前記第２の端末の表示性能に適応するように設置される第１の検索ユニットと、
前記タグに示される前記第１のシリアル番号に対応する第２のフォトギャラリーにおける第２のフォトの第２のシリアル番号を検索するように設置される第２の検索ユニットと、
前記第２のシリアル番号から、前記第２の端末へ前記第２のフォトギャラリーにおける第２のフォトを送信するように設置される第２の送信ユニットと、を備える。
【００１６】
前記コンテンツ提供サーバは、さらに、オリジナルフォトが含まれるオリジナルフォトギャラリーを取得するように設置される取得ユニットと、
前記オリジナルフォトの画素の大きさ、前記第１の端末の表示性能によって、前記オリジナルフォトを処理して第１のフォトを生成し、且つ前記オリジナルフォトの画素の大き  さ、前記第２の端末の表示性能によって、前記オリジナルフォトを処理して第２のフォトを生成するように設置されるフォト処理ユニットと、
前記第１のフォトの第１のシリアル番号と前記オリジナルフォトの第３のシリアル番号との対応関係を生成し、且つ前記第２のフォトの第２のシリアル番号と前記オリジナルフォトの第３のシリアル番号との対応関係を生成するように設置される対応関係生成ユニットと、を備える。
【００１７】
前記フォト処理ユニットは、さらに、
前記オリジナルフォトをカットし、第１のフォトを生成するカットサブユニット、または、
前記オリジナルフォトを接合させて、第１のフォトを生成する接合サブユニット、または、
前記オリジナルフォトに対して画素変換を行って、第１のフォトを生成する変換サブユニットを備える。
【００１８】
他方、第１の端末、第２の端末及びコンテンツ提供サーバを含むコンテンツ提供システムが提供され、
前記第１の端末は、前記コンテンツ提供サーバへタグを設定するとの命令を送信するように設置され、
前記コンテンツ提供サーバは、第１の端末からの命令に応じて、前記第１の端末に対応する第１のフォトギャラリーにおける第１のフォトの第１のシリアル番号を示すタグを設定し、そして第２の端末から、前記第２の端末の端末タイプが含まれるサービス要求を受信し、前記第２の端末へ前記タグを送信し、そして前記第２の端末から前記タグを選択するとの命令を受信し、前記第２の端末の端末タイプに対応する第２のフォトギャラリーを検索し、前記第２のフォトギャラリーにおける第２のフォトが前記第２の端末の表示性能に適応し、前記タグに示される前記第１のシリアル番号に対応する第２のフォトギャラリーにおける第２のフォトの第２のシリアル番号を検索し、前記第２のシリアル番号から、  前記第２の端末へ前記第２のフォトギャラリーにおける第２のフォトを送信するように設置され、
前記第２の端末は、前記第２のシリアル番号から、前記コンテンツ提供サーバから前記第２のフォトギャラリーにおける第２のフォトを受信するように設置される。
発明の効果
【００１９】
本発明の実施形態は、以下の有益な効果を持っている。
上記のスキームにおいて、ユーザは、第１の端末で第１のフォトギャラリーにおける第１のフォトを読んだ後、第１のフォトの第１のシリアル番号にタグを設定し、第２の端末から同一のオリジナルフォトに対応する第２のフォトギャラリにおける第２のフォトを読む場合に、第２の端末は、前記マークされた第１のフォトの第１のシリアル番号に対応する第２のフォトギャラリーににおける第２のフォトの第２のシリアル番号を取得し、これによりユーザは、第２の端末で第２のシリアル番号から第２のフォトを読み取りを開始し、第２のシリアル番号の第２のフォトと第１のシリアル番号の第１のフォトにおいてコンテンツ上の連続性を保証することにより、ユーザは、シームレスに読むことができる。
【図面の簡単な説明】
【００２０】
【図１】本発明に係る読取サービスの提供方法の一つの実施形態のフローチャートである。
【図２】本発明に係る読取サービスの提供方法の別の実施形態のフローチャートである。
【図３】図２に示す読取サービスの提供方法のステップ２１のフローチャートである。
【図４】本発明に係るコンテンツ提供サーバの構成を示す図である。
【図５】本発明に係るコンテンツ提供システムの構成を示す図である。
【図６】本発明の応用場面における３つのスクリーンが統合された漫画読取のフローチャートである。
【図７】本発明の応用場面におけるマルチスクリーンにおけるブックマークページ換算のフローチャートである。
【発明を実施するための形態】
【００２１】
本発明の実施形態が解決しようとする技術的問題、技術的スキーム及び利点がより明らかになるように、以下、図面及び具体的な実施形態を参照しながら詳細に説明する。
【００２２】
図１に示すように、本発明に係るコンテンツ提供サーバに用いられる読取サービスの提供方法の一つの実施形態であって、前記方法は、以下のステップを含む。
【００２３】
ステップ１１において、コンテンツ提供サーバは、第１の端末からの命令に応じて、前記第１の端末に対応する第１のフォトギャラリーにおける第１のフォトの第１のシリアル番号を示すタグを設定する。
【００２４】
ステップ１２において、前記コンテンツ提供サーバは、第２の端末から、前記第２の端末の端末タイプが含まれるサービス要求を受信する。
ステップ１３において、前記コンテンツ提供サーバは、前記第２の端末へ前記タグを送信する。
【００２５】
ステップ１４において、前記コンテンツ提供サーバは、前記第２の端末から前記タグを選択するとの命令を受信する。
ステップ１５において、前記コンテンツ提供サーバは、前記第２の端末の端末タイプに対応する第２のフォトギャラリーを検索し、前記第２のフォトギャラリーにおける第２のフォトが前記第２の端末の表示性能に適応する。
【００２６】
ステップ１６において、前記コンテンツ提供サーバは、前記タグに示される前記第１のシリアル番号に対応する第２のフォトギャラリーにおける第２のフォトの第２のシリアル番号を検索する。
【００２７】
ここで、選択的に、ステップ１６は、具体的に、前記コンテンツ提供サーバが前記タグに示される前記第１のシリアル番号に対応するオリジナルフォトギャラリーにおけるオリジナルフォトの第３のシリアル番号を検索することと、前記コンテンツ提供サーバが前記オリジナルフォトの第３のシリアル番号に対応する第２のフォトギャラリーにおける第２のフォトの第２のシリアル番号を検索することと、を含むことができる。
ス  テップ１７において、前記コンテンツ提供サーバは、前記第２のシリアル番号から、前記第２の端末へ前記第２のフォトギャラリーにおける第２のフォトを送信する。
【００２８】
選択的に、前記第１のシリアル番号と前記第２のシリアル番号が一対多である場合、ステップ１６は、前記コンテンツ提供サーバが前記タグに示される前記第１のシリアル番号に対応する第２のフォトギャラリーにおける第２のフォトの第２のシリアル番号の最小値を検索することであり、これに相応して、ステップ１７は、前記コンテンツ提供サーバが前記第２のシリアル番号の最小値から、前記第２の端末へ前記第２のフォトギャラリーにおける第２のフォトを送信することである。第１のフォトのコンテンツが複数の第２のフォトのコンテンツに対応する場合、第２のフォトを読み取る時の、原図のコンテンツの連続性を保証することができる。
図２に、本発明に係るコンテンツ提供サーバに応用される読取サービスの提供方法の別の実施形態を示す。この方法は、以下のステップを含む。
【００２９】
ステップ２１において、前記コンテンツ提供サーバは、オリジナルフォトによって、第１のフォト、第２のフォト、第１のフォトの第１のシリアル番号と前記オリジナルフォトの第３のシリアル番号との対応関係、第２のフォトの第２のシリアル番号と前記オリジナルフォトの第３のシリアル番号との対応関係、第１のフォトの第１のシリアル番号と前記第２のフォトの第２のシリアル番号との対応関係を生成する。
本ステップは、コンテンツ提供サーバがオリジナルフォトを処理するステップである。
【００３０】
ステップ２２において、前記コンテンツ提供サーバは、第１の端末から、前記第１の端末の端末タイプが含まれるサービス要求を受信する。
ステップ２３において、前記コンテンツ提供サーバは、前記第１の端末の端末タイプに対応する第１のフォトギャラリーを検索する。前記第１のフォトギャラリーにおける第１のフォトは前記第１の端末の表示性能に適応するものである。
【００３１】
ステップ２４において、前記コンテンツ提供サーバは、前記第１の端末へ前記第１のフォトを送信する。
ステップ２５において、コンテンツ提供サーバは、第１の端末からの命令に応じて、前記第１の端末に対応する第１のフォトギャラリーにおける第１のフォトの第１のシリアル番号を示すタグを設定する。
ステップ２２〜２５は、ユーザが第１の端末で読み取る処理プロセスである。
【００３２】
ステップ２６において、前記コンテンツ提供サーバは、第２の端末から、前記第２の端末の端末タイプが含まれるサービス要求を受信する。
ステップ２７において、前記コンテンツ提供サーバは、前記第２の端末へ前記タグを送信する。
【００３３】
ステップ２８において、前記コンテンツ提供サーバは、前記第２の端末から、前記タグを選択するとの命令を受信する。
ステップ２９において、前記コンテンツ提供サーバは、前記第２の端末の端末タイプに対応する第２のフォトギャラリーを検索する。
ここで、前記第２のフォトギャラリーにおける第２のフォトは前記第２の端末の表示性能に適応する。
【００３４】
ステップ２１０において、前記コンテンツ提供サーバは、前記タグに示される前記第１のシリアル番号に対応する第２のフォトギャラリーにおける第２のフォトのシリアル番号を検索する。
【００３５】
ステップ２１１において、前記コンテンツ提供サーバは、前記第２のシリアル番号から、前記第２の端末へ前記第２のフォトギャラリーにおける第２のフォトを送信する。
ステップ２６〜２１１は、ユーザが第２の端末で読み取る処理プロセスである。
【００３６】
図３に示すように、ステップ２１は、具体的に以下のステップを含む。
ステップ３１において、前記コンテンツサーバは、オリジナルフォトが含まれるオリジナルフォトギャラリーを取得する。
【００３７】
ステップ３２において、前記コンテンツサーバは、前記オリジナルフォトの画素の大きさ、前記第１の端末の表示性能によって、前記オリジナルフォトを処理して第１のフォトを生成する。
【００３８】
ここで、前記オリジナルフォトを処理して第１のフォトを生成する前記ステップは、前記コンテンツサーバが前記オリジナルフォトをカットして、第１のフォトを生成すること、または、前記コンテンツサーバが前記オリジナルフォトを接合させて、第１のフォトを生成すること、または、前記コンテンツサーバが前記オリジナルフォトに対して画素変換を行って、第１のフォトを生成すること、を含む。
【００３９】
前記第１の端末の表示性能は、第１の端末の表示スクリーンの物理的サイズ、第１の端末の表示スクリーンの画素の大きさ、前記第１の端末のＣＰＵの処理速度、及び／または前記第１の端末のアクセスネットワークの帯域幅を含む。同じように、第２の端末に表示された第２のフォトが第２の端末に適応する。
【００４０】
ステップ３３において、前記コンテンツサーバは、前記第１のフォトの第１のシリアル番号と前記オリジナルフォトの第３のシリアル番号との対応関係を生成する。
【００４１】
ステップ３４において、前記コンテンツサーバは、前記オリジナルフォトの画素の大きさ、前記第２の端末の表示性能によって、前記オリジナルフォトを処理して第２のフォトを生成する。
【００４２】
ここで、前記オリジナルフォトを処理して第２のフォトを生成する前記ステップは、前記コンテンツサーバが前記オリジナルフォトをカットして、第２のフォトを生成すること、または、前記コンテンツサーバが前記オリジナルフォトを接合させて、第２のフォトを生成すること、または、前記コンテンツサーバが前記オリジナルフォトに対して画素変換を行って、第２のフォトを生成すること、を含む。
【００４３】
前記第２の端末の表示性能は、第２の端末の表示スクリーンの物理的サイズ、第２の端末の表示スクリーンの画素の大きさ、前記第２の端末のＣＰＵの処理速度、及び／または前記第１の端末のアクセスネットワークの帯域幅を含む。
【００４４】
ステップ３５において、前記コンテンツサーバは、前記第２のフォトの第２のシリアル番号と前記オリジナルフォトの第３のシリアル番号との対応関係を生成する。
【００４５】
ステップ３６において、前記コンテンツサーバは、前記第１のフォトの第１のシリアル番号と前記第２のフォトの第２のシリアル番号との対応関係を生成する。
【００４６】
ここで、このステップは、任意選択可能なものであり、後続のプロセスにおいて、直接に第１のシリアル番号と第２のシリアル番号との対応関係により、マークされた第１のシリアル番号に対応する第２のシリアル番号を検索することができるようにしてもよい。
【００４７】
上記のスキームにおいて、前記第１のフォトは、オリジナルフォトの画素の大きさ、第１の端末の表示スクリーンの物理的サイズ、及び第１の端末の表示スクリーンの画素の大きさによって、前記オリジナルフォトを処理して生成されるものである。前記第２のフォトは、前記オリジナルフォトの画素の大きさ、第２の端末の表示スクリーンの物理的サイズ、及び第２の端末の表示スクリーンの画素の大きさによって、前記オリジナルフォトを処理して生成されるものである。そのため、端末に表示されたフォトが端末に適応し、端末での表示効果を保証する。
【００４８】
図４に示すように、本発明に係るコンテンツ提供サーバであって、タグ設定ユニット４１、受信ユニット４２、第１の送信ユニット４３、受信ユニット４４、第１の検索ユニット４５、第２の検索ユニット４６及び第２の送信ユニット４７を含み、
タグ設定ユニット４１は、第１の端末の命令に応じて、前記第１の端末に対応する第１のフォトギャラリーにおける第１のフォトの第１のシリアル番号を示すタグを設定することに用いられ、
受信ユニット４２は、第２の端末から、前記第２の端末の端末タイプが含まれるサービス要求を受信することに用いられ、
【００４９】
第１の送信ユニット４３は、前記第２の端末へ前記タグを送信することに用いられ、
受信ユニット４４は、前記第２の端末から、前記タグを選択するとの命令を受信することに用いられ、
第１の検索ユニット４５は、前記第２の端末の端末タイプに対応する第２のフォトギャラリーを検索し、前記第２のフォトギャラリーにおける第２のフォトが前記第２の端末の表示性能に適応することに用いられ、
第２の検索ユニット４６は、前記タグに示される前記第１のシリアル番号に対応する第２のフォトギャラリーにおける第２のフォトの第２のシリアル番号を検索することに用いられ、
第２の送信ユニット４７は、前記第２のシリアル番号から、前記第２の端末へ前記第２のフォトギャラリーにおける第２のフォトを送信することに用いられる。
【００５０】
前記コンテンツ提供サーバは、さらに、取得ユニット４８、フォト処理ユニット４９、及び対応関係生成ユニット４１０を含むことができ、
取得ユニット４８は、オリジナルフォトが含まれるオリジナルフォトギャラリーを取得することに用いられ、
フォト処理ユニット４９は、前記オリジナルフォトの画素の大きさ、前記第１の端末の表示性能によって、前記オリジナルフォトを処理して第１のフォトを生成し、そして前記オリジナルフォトの画素の大きさ、前記第２の端末の表示性能によって、前記オリジナルフォトを処理して第２のフォトを生成することに用いられ、
対応関係生成ユニット４１０は、前記第１のフォトの第１のシリアル番号と前記オリジナルフォトの第３のシリアル番号との対応関係を生成し、そして前記第２のフォトの第２のシリアル番号と前記オリジナルフォトの第３のシリアル番号との対応関係を生成することに用いられる。
【００５１】
前記フォト処理ユニット４９は、さらに、
前記オリジナルフォトをカットして、第１のフォト及び第２のフォトを生成することに用いられるカットサブユニット、または、
前記オリジナルフォトを接合させて、第１のフォト及び第２のフォトを生成することに用いられる接合サブユニット、または、
前記オリジナルフォトに対して画素変換を行って、第１のフォト及び第２のフォトを生成することに用いられる変換サブユニットを含むことができる。
【００５２】
図５に示すように、本発明に係るコンテンツ提供システムであって、第１の端末５１、第２の端末５２及びコンテンツ提供サーバ５３を含み、
前記第１の端末５１は、前記コンテンツ提供サーバへタグの設定命令を送信することに用いられ、
前記コンテンツ提供サーバ５３は、第１の端末５１からの命令に応じて、前記第１の端末５１に対応する第１のフォトギャラリーにおける第１のフォトの第１のシリアル番号を示すタグを設定し、そして第２の端末５２から、前記第２の端末５２の端末タイプが含まれるサービス要求を受信し、前記第２の端末へ前記タグを送信し、そして前記第２の端末５２から前記タグを選択するとの命令を受信し、前記第２の端末５２の端末タイプに対応する第２のフォトギャラリーを検索し、前記第２のフォトギャラリーが前記第２の端末の表示性能に適応し、前記タグに示される第１のシリアル番号に対応する第２のフォトギャラリーにおける第２のフォトの第２のシリアル番号を検索し、前記第２のシリアル番号から、前記第２の端末５２へ前記第２のフォトギャラリーにおける第２のフォトを送信することに用いられ、
前記第２の端末５２は、コンテンツ提供サーバ５３へサービス要求を送信し、そしてコンテンツ提供サーバ５３から送信された前記タグを受信した後、コンテンツ提供サーバ５３へ前記タグを選択するとの命令を送信し、そして前記第２のシリアル番号から、前記コンテンツ提供サーバ５３から前記第２のフォトギャラリーにおける第２のフォトを受信することに用いられる。
【００５３】
本発明は、３種ネットワーク融合という大きい背景において、漫画本を読取する場合に用いられることができ、通信ネットワーク（携帯電話）、放送ネットワーク（ＴＶ）、及びインターネット（コンピュータ）において３種類のスクリーンで同じ漫画本を読み取るデータ処理、及びマルチスクリーンにおけるブックマークページ番号換算処理を実現する。それによって、ユーザは、３つのスクリーンが統合された環境で漫画などのフォトギャラリーを読み取る過程において、マルチスクリーンの切り替えを行う時に、漫画をシームレスに読み取る目的を達成する。
【００５４】
以下、漫画を例として、本発明に係る方法の応用場面を説明する。
ここで、原図は、深加工を行うための漫画素材であって、上記のオリジナルフォトに相当する。深加工は、上記のフォト処理に相当する。深加工は、漫画原図に基づいて、原図に対してサイズの調整などの操作を行って、異なるタイプのスクリーンのサイズの需要に適応させる。
【００５５】
マルチスクリーンフォトは、原図によって深加工された漫画素材であって、グローバル情報ネットワーク（ＷＥＢ：Ｗｏｒｌｄ  Ｗｉｄｅ  Ｗｅｂ）タイプ（コンピュータの表示に用いられる）、ワイヤレスアプリケーションプロトコル（ＷＡＰ：ＷＩＲＥＬＥＳＳ  ＡＰＰＬＩＣＡＴＩＯＮ  ＰＲＯＴＯＣＯＬ）タイプ（携帯電話の表示に用いられる）、及び電子番組ガイド（ＥＰＧ：Ｅｌｅｃｔｒｏｎｉｃ  Ｐｒｏｇｒａｍ  Ｇｕｉｄｅ）タイプ（テレビの表示に用いられる）を含み、マルチスクリーン漫画のプレビューに用いられ、上記の第１のフォト、第２のフォトに相当する。
【００５６】
サービスコンテンツページ数の対応関係テーブルは、加工されたフォトと原図の対応関係を保存することに用いられ、上記の第１のフォトの第１のシリアル番号とオリジナルフォトの第３のシリアル番号との対応関係、第２のフォトの第２のシリアル番号と前記オリジナルフォトの第３のシリアル番号との対応関係、第１のフォトの第１のシリアル番号と第２のフォトの第２のシリアル番号との対応関係に相当する
ユーザブックマークテーブルは、ユーザのブックマーク記録を保存することに用いられる。
【００５７】
前記方法は、以下のステップを含む。
ステップＡにおいて、原図及び深加工フォトの物理的位置を記憶する。コンテンツ目次の構成は、以下の通りである。
【００５８】
例：
コンテンツＩＤエンコードルール：共に１０桁であり、始めの３がコンテンツプロバイダー（ＣＰ：Ｃｏｎｔｅｎｔ  Ｐｒｏｖｉｄｅｒ）のソース、４桁がコンテンツシリアル番号であり、最後の３桁がコンテンツの各エピソードのラベルである。
【００５９】
例：
１０２０００１０００は、漫画本のコンテンツＩＤであり、その第１のエピソードＩＤが１０２０００１００１であり、第２のエピソードＩＤが１０２０００１００２である。
【００６０】
【表１】
0005792326.tif 000002
【００６１】
ステップＢにおいて、サービスコンテンツページ数の対応関係テーブルを作成する。
【表２】
0005792326.tif 000003
【００６２】
ステップＣにおいて、原図に対応するＰｌａｔｆｏｒｍＭａｒｋ．ｘｍｌにおけるデータをテーブルに変換させる。
【表３】
0005792326.tif 000004
【００６３】
ここで、Ｐａｇｅが原図のページ番号を代表し、Ｓｃｅｎｅが当該端末における実際のページ番号を代表し、前記原図のページ番号が前記オリジナルフォトのシリアル番号に相当し、前記端末における実際のページ番号が前記第１のフォトのシリアル番号または第２のフォトのシリアル番号に相当する。
ステップＤにおいて、ユーザのブックマークテーブルを作成する。
【表４】
0005792326.tif 000005
【００６４】
ステップＥにおいて、ユーザは、端末Ａで漫画本をブラウズし、そしてブックマークを追加する。
ステップＦにおいて、ユーザは、端末Ｂでブックマークテーブルにアクセスし、ブックマークを選択し、ページ番号換算を行って、前回の読取に続いて、シームレスに読み取る。
【００６５】
以下、ステップＥ、Ｆを例として説明する。
携帯電話Ａ、コンピュータＢを例とし、携帯電話Ａに対してスクリーンのサイズが２４０×３２０である携帯電話を選択する。コンピュータＢは、１台の一般的なＰＣ機である。
ここで、携帯電話Ａについて、ブラウズされるフォトと原図の対応関係は、以下の通りである。
【００６６】
【表５−１】
0005792326.tif 000006
【００６７】
【表５−２】
0005792326.tif 000007
【００６８】
ここで、Ｐａｇｅが原図を代表し、Ｓｃｅｎｅが端末Ａで深加工されたフォトのページ番号を代表する。
コンピュータＢのブラウズされるフォト（上記の第２のフォトに相当する）と原図の対応関係は、以下の通りである。
【００６９】
【表６】
0005792326.tif 000008
【００７０】
ここで、Ｐａｇｅが原図を代表し、Ｓｃｅｎｅが端末Ａで深加工されたフォトのページ番号を代表する。
前記方法は、以下のステップを含む。
ステップ１において、端末Ａで漫画本の１０ページ目をブラウズし、ブックマークを追加する。
【００７１】
ステップ２において、端末Ｂは、ブックマークにアクセスし、端末Ａにおけるブックマークページ番号によって、端末Ｂにおけるページ番号に換算して、ページ番号が０２であることを得て、前回の端末Ａで見られたコンテンツに継いで、ブラウズし続けて、シームレスに読み取る。端末Ｂは、ブックマークにアクセスした後、２ページ目からアクセスする。対応関係が見つからない場合は、最初のページからブックにアクセスする。
【００７２】
ここで、変算ステップは、端末Ａの１０ページ目が原図の２ページ目に対応し、原図の２ページ目によって、端末Ｂに対応する最小ページが０２であることを検出する。
【００７３】
図６に示すように、ユーザは、異なる時間にいくつかの異なるスクリーンを選択して、漫画本をブラウズすることができる。例えば、ユーザは、昼間に道中に携帯電話スクリーンを選択して漫画を通常に読み取って、読取が終了しようとする時に、ブックマークを追加し、ユーザは、夜に家に帰って、コンピュータの電源を入れて、ブックマークテーブルをブラウズして、ブックマークのページ番号換算を行って、コンピュータにより、見ていた実際のページ番号を得て、ブックマークを読み取ると、昼間に携帯電話で読み取った漫画資源に継いで、続いて読み取ることができる。
【００７４】
図７に示すように、本発明の処理方法のプロセスは、以下の通りである。
ステップ１において、携帯電話Ａ（タイプが２４０×３２０）を介して正常に漫画本をブラウズする。
【００７５】
ステップ２において、１０ページ目をブラウズして、読み取りの終了場合にブックマークを追加する。
ステップ３において、ブックマークテーブルを作成する。当該ブックマークテーブルは、ハードウェアタイプフィールド（ハードウェアタイプ１ｗｅｂ；２．ｗａｐ２４０×３２０；３．ｗａｐ３２０×４８０；４ｗａｐ４８０×６４０；５．クライアント２４０×３２０；６．クライアント３２０×４８０；７クライアント４８０×６４０；８ｅｐｇ）を含み、ブックマークのページ番号換算を容易にさせる。
【００７６】
ステップ４において、コンピュータＢは、ブックマークテーブルにアクセスし、ブックマークの読取にアクセスする。
ステップ５において、ブックマークページ番号の換算に入り、携帯電話Ａで深加工されたフォトと原図の対応関係があるかどうかを判定し、この対応関係がないとステップ６に移転し、この対応関係があるとステップ７に移転する。
【００７７】
ステップ６において、直接に漫画本のホームに戻り、プロセスが終了する。
ステップ７において、携帯電話Ａにおける１０ページ目に対応する原図の２ページ目を得て、コンピュータＢで深加工されたフォトと原図の対応関係があるかどうかを判定し、この対応関係がないとステップ８に移転し、この対応関係があるとステップ９に移転する。
【００７８】
ステップ８において、直接に漫画本のホームに戻り、プロセスが終了する。
ステップ９において、原図の２ページ目に対応するコンピュータＢで深加工されたフォトの最小ページ番号が２ページ目であることを得る。
ステップ１０において、コンピュータＢで実際の２ページ目を取得して、直接に２ページ目にアクセスして読み取って、プロセスが終了する。
【００７９】
本発明において、ユーザは、ブックマークによって、様々なチャネルにおいて同じ漫画本を一緒に統合させて、異なるスクリーン（携帯電話スクリーン、コンピュータスクリーン、テレビスクリーン）を介してシームレスに読み取る。ユーザは、通勤途中に自分のスマートフォンで漫画本を読むことができ、家に帰って、ユーザのブックマークまたはシステムのブックマークによって、別のデバイス（テレビ、コンピュータ）に前回のコンテンツに継いで読むことができる。
【００８０】
本発明の実施の態様において、漫画本の原図が導入されるが、原図を様々なハードウェアタイプに適応するフォトに加工して、原図のページ番号との対応関係を生成する。ページ番号の対応関係によって、ページ番号の換算を行うことで、必要なハードウェアタイプでブラウズされたページ番号を得て、３つのスクリーン（携帯電話スクリーン、コンピュータスクリーン、テレビスクリーン）で同じ資源をブラウズすることが可能となる。３つのスクリーンの切り替え過程に、ブックマークに記録された異なるタイプのスクリーン例えば携帯電話のページ番号を換算して、読み取ろうとするタイプのスクリーン例えばコンピュータの実際のページ番号を検索して、シームレスに見る目的を達成する。
【００８１】
このような実現方式により、ユーザは、異なる時間にいくつかの異なるスクリーンを選択して、同じ漫画本をブラウズすることができ、ユーザの読取体験を向上し、ユーザの読取品質を高め、オペレータが３種ネットワーク融合の環境において、自分のサービスを広げるために、実現可能な方法を改善する。
【００８２】
また、本発明は、ハードウェアタイプをタイプ番号（ｔｅｒｍｉｎａｌｔｙｐｅ、ｎｕｍｂｅｒ（１０））で区別するようにして、拡張性に資するようにし、それによってシステム設計の柔軟性を高めた。
端末タイプは、ハードウェアタイプ、ソフトウェアバージョン、表示スクリーンのサイズを含む。
【００８３】
当業者は、上記の実施形態の方法の全部または一部のステップを実現することが、プログラムにより関連するハードウェアに対して命令して完了できること、また前記プログラムは１つのコンピュータ可読記憶媒体に記憶されることができ、当該プログラムの実行には、上記の方法の実施形態のステップが含まれ、前記記憶媒体が例えばディスク、光ディスク、読み取り専用メモリ（ＲＯＭ：Ｒｅａｄ−Ｏｎｌｙ  Ｍｅｍｏｒｙ）またはランダム記憶メモリ（ＲＡＭ：Ｒａｎｄｏｍ  Ａｃｃｅｓｓ  Ｍｅｍｏｒｙ）などであることを理解すべきである。
【００８４】
本発明の各方法の実施形態において、前記各ステップのシリアル番号は、各ステップの順番を限定するものではなく、当業者に対して、創造的な努力をしない前提で、各ステップの順番の変化したものも本発明の保護範囲に含まれる。
【００８５】
以上は、本発明の最適な実施例に過ぎず、本発明を制限するものではなく、本分野の当業者には、本発明が各種類の変更と変化が可能であり、本発明の主旨精神と原則以内に、いかなる改修、同等入れ替わり、改良等も、本発明の保護範囲以内に含まれるべきであることが理解されるであろう。
【図１】
0005792326.tif 000009
【図２】
0005792326.tif 000010
【図３】
0005792326.tif 000011
【図４】
0005792326.tif 000012
【図５】
0005792326.tif 000013
【図６】
0005792326.tif 000014
【図７】
0005792326.tif 000015